(57)【要約】  【課題】  頭髪等に帯電している静電気を除去しつつ頭骨、腰骨等に強く押付けてマッサージすることができるようにする。  【解決手段】  粒状及び／又は粉末状の負に帯電された負帯電材３が封入され、尖部を有する第１のガラス容器４と、第１のガラス容器４をその一端部に支持した筒形の支持体１と、該支持体１内に収容された振動発生用のモータ２と、粒状及び／又は粉末状の負に帯電された負帯電材３が封入され、前記支持体１の他端部に露出して設けられた第２のガラス容器５とを備え、マッサージ具の全体を振動させつつガラス容器４，５の一方を身体の骨部に押付け、身体に帯電している静電気を除去しつつ骨部をマッサージすることができるようにした。【選択図】      図１
2005349100.tif 000002
【特許請求の範囲】
【請求項１】
粒状及び／又は粉末状の負に帯電された負帯電材が封入され、尖部を有する第１のガラス容器と、第１のガラス容器を前記尖部が先側となるようにその一端部に支持した筒形の支持体とを備えたマッサージ具において、前記支持体内に収容された振動発生用のモータと、粒状及び／又は粉末状の負に帯電された負帯電材が封入され、前記支持体の他端部に露出して設けられた第２のガラス容器とを備えることを特徴とするマッサージ具。
【請求項２】
粒状及び／又は粉末状の負に帯電された負帯電材が封入され、尖部を有する第１のガラス容器と、第１のガラス容器を前記尖部が先側となるようにその一端部に支持した筒形の支持体とを備えたマッサージ具において、前記支持体内に収容された振動発生用のモータと、粒状及び／又は粉末状の負に帯電された負帯電材が封入され、前記支持体の他端部に設けられた第３のガラス容器と、第３のガラス容器を被覆した被覆体とを有することを特徴とするマッサージ具。
【請求項３】
第２のガラス容器の先側、又は前記被覆体の先側は外向き凸の湾曲面をなす請求項１又は２記載のマッサージ具。
【請求項４】
負帯電材はＳｉ又はＳｉＯx （０＜ｘ≦２）である請求項１乃至３のいずれか一つに記載のマッサージ具。
【請求項５】
負帯電材は石灰、白砂、ガラスビーズ、塩、Ｓｉ又はＳｉＯx （０＜ｘ≦２）を含有する請求項１乃至３のいずれか一つに記載のマッサージ具。
【発明の詳細な説明】
【技術分野】
【０００１】
本発明は身体をマッサージするためのマッサージ具に関する。
【背景技術】
【０００２】
マッサージ具は略円錐形をなし、粒状若しくは粉末状の負に帯電された珪素（Ｓｉ）を封入してなるガラス容器と、該ガラス容器をその一端部に支持した把持することが可能な円筒形の支持体と、該支持体内に収容されたモータとを備え、該モータの出力軸に前記ガラス容器が取着されており、ガラス容器を回転させつつ該ガラス容器の尖部を患部に押付け、筋肉の血流を改善することができるように構成されたものが知られている（例えば、特許文献１）。
【０００３】
また、身体が正に帯電した場合、身体において血液及びリンパ液等の体液の流れが悪くなり、頭痛、血圧上昇、血糖増加、血管収縮及び利尿抑制等の身体作用が生じ、その結果、細胞の活性が減じ、美容上のトラブル、健康障害及び疾病が誘発されるが、負電荷が身体に供給されることにより、体液の流れがよくなって、血圧下降、血糖減少、血管拡張及び利尿促進等の身体作用が生じることが知られている。
【特許文献１】再表０１／０５８５２１
【発明の開示】
【発明が解決しようとする課題】
【０００４】
ところが、特許文献１のマッサージ具は、モータにより回転されるガラス容器が回転しつつ該ガラス容器が身体に押付けられるため、身体への押付力が大きい場合は身体との摩擦抵抗が増加し、身体に痛みを感じることになる。例えば、頭部をマッサージする場合、頭部への押付時間が長くなると不快感になり、さらに押付時間が長くなると吐き気を催すことになる。従って、マッサージ具を頭骨、腰骨等に強く押付けることができず、頭骨、腰骨等のマッサージ効果を高めることが要望されていた。
【０００５】
本発明は斯かる事情に鑑みてなされたものであり、負帯電材が封入され、尖部を有する第１のガラス容器をその一端部に備える支持体内に振動発生用のモータを収容し、支持体の他端部に、負帯電材が封入された第２のガラス容器を露出して設けることにより、頭皮、頭髪等に帯電している静電気を除去しつつ、頭骨、腰骨等に強く押付けてマッサージすることができるマッサージ具を提供することを目的とする。
【０００６】
また、負帯電材が封入され、尖部を有する第１のガラス容器をその一端部に備える支持体内に振動発生用のモータを収容し、支持体の他端部に、負帯電材が封入された第３のガラス容器と、第３のガラス容器を被覆した被覆体とを設けることにより、頭皮、頭髪等に帯電している静電気を除去しつつ、頭骨、腰骨等に強く押付けてマッサージすることができるマッサージ具を提供することを目的とする。
【０００７】
また、第２のガラス容器の先側、又は前記被覆体の先側を外向き凸の湾曲面とすることにより、頭皮、頭髪等に帯電している静電気を除去しつつ、第２のガラス容器の先側又は被覆体の先側を頭骨、腰骨等に強く押付けてマッサージすることができるマッサージ具を提供することを目的とする。
【０００８】
また、負帯電材をＳｉ又はＳｉＯx （０＜ｘ≦２）とすることにより、頭皮、頭髪等に帯電している静電気を除去しやすくできるマッサージ具を提供することを目的とする。
【０００９】
また、負帯電材は石灰、白砂、ガラスビーズ、塩、Ｓｉ又はＳｉＯx （０＜ｘ≦２）を含有することにより、頭皮、頭髪等に帯電している静電気を除去しやすくできるマッサージ具を提供することを目的とする。
【課題を解決するための手段】
【００１０】
第１発明のマッサージ具は、粒状及び／又は粉末状の負に帯電された負帯電材が封入され、尖部を有する第１のガラス容器と、第１のガラス容器を前記尖部が先側となるようにその一端部に支持した筒形の支持体とを備えたマッサージ具において、前記支持体内に収容された振動発生用のモータと、粒状及び／又は粉末状の負に帯電された負帯電材が封入され、前記支持体の他端部に露出して設けられた第２のガラス容器とを備えることを特徴とする。
ここで、負に帯電するとは、負電荷を与えられること、負の静電気を帯びることを意味する。
【００１１】
第１発明にあっては、モータの駆動により、該モータが発生した振動が支持体と、該支持体に設けられた第１及び第２のガラス容器とに伝播され、マッサージ具の全体が振動する。この振動するマッサージ具の一方のガラス容器を身体の例えば頭部に押付けることにより頭骨に振動を加えつつマッサージすることができ、また、非回転のガラス容器を身体に接触させつつマッサージすることができるため、身体との摩擦抵抗を低減でき、身体への押付力を大きくし、押付時間を長くすることができる。しかも、負帯電材が封入されたガラス容器を支持体の両端部に設けてあり、マッサージ具の負電荷の量を比較的多くすることができるため、頭皮、頭髪等に対する静電気軽減除去の効果が高く、頭皮、頭髪等に帯電している静電気を除去することが可能であり、もやもやした気分を解消して爽快感を得ることができ、体液の流れを改善できる。
【００１２】
第２発明のマッサージ具は、粒状及び／又は粉末状の負に帯電された負帯電材が封入され、尖部を有する第１のガラス容器と、第１のガラス容器を前記尖部が先側となるようにその一端部に支持した筒形の支持体とを備えたマッサージ具において、前記支持体内に収容された振動発生用のモータと、粒状及び／又は粉末状の負に帯電された負帯電材が封入され、前記支持体の他端部に設けられた第３のガラス容器と、第３のガラス容器を被覆した被覆体とを有することを特徴とする。
【００１３】
第２発明にあっては、モータの駆動により、該モータが発生した振動が支持体と、該支持体に設けられた第１及び第３のガラス容器とに伝播され、マッサージ具の全体が振動する。この振動するマッサージ具の第１のガラス容器又は被覆体を身体の例えば頭部、腰部に押付けることにより頭骨、腰骨に振動を加えつつマッサージすることができる。また、非回転部分を身体に接触させつつマッサージすることができるため、身体との摩擦抵抗を低減でき、身体への押付力を大きくし、押付時間を長くすることができる。しかも、負帯電材が封入されたガラス容器を支持体の両端部に設けてあり、マッサージ具の負電荷の量を比較的多くすることができるため、頭皮、頭髪に対する静電気軽減除去の効果が高く、頭皮、頭髪等に帯電している静電気を除去することが可能であり、もやもやした気分を解消して爽快感を得ることができ、体液の流れを改善できる。
【００１４】
第３発明のマッサージ具は、第２のガラス容器の先側、又は前記被覆体の先側は外向き凸の湾曲面をなすことを特徴とする。
【００１５】
第３発明にあっては、非回転の第２のガラス容器又は被覆体の湾曲面を身体の例えば頭部に押付けることができるため、身体との摩擦抵抗を低減でき、身体への押付力を大きくし、押付時間を長くすることができる。
【００１６】
第４発明のマッサージ具は、負帯電材はＳｉ又はＳｉＯx （０＜ｘ≦２）であることを特徴とする。
Ｓｉの酸化物としては、ＳｉＯ2 又はＳｉＯだけでなく、ｘとして小数点付きの酸化物もあり、この存在は永見剛一が著した「ＳｉＯ蒸着膜の性質」という研究論文で明らかにされている。
第４発明にあっては、第１発明〜第３発明と同様の作用を奏する。
【００１７】
第５発明のマッサージ具は、負帯電材は石灰、白砂、ガラスビーズ、塩、Ｓｉ又はＳｉＯx （０＜ｘ≦２）を含有することを特徴とする。
第５発明にあっては、第１発明〜第３発明と同様の作用を奏する。
【発明の効果】
【００１８】
第１発明〜第５発明によれば、マッサージ具の全体を振動させ、マッサージ具の非回転部分を頭骨、腰骨等に強く押付けて比較的長い時間マッサージすることができ、しかも、両端部のガラス容器によりマッサージ具の負電荷の量を比較的多くすることができ、頭皮、頭髪に帯電している静電気を除去することが可能であり、もやもやした気分を解消して爽快感を得ることができ、また、体液の流れを改善して、症状を軽減することができる。また、請求項４、５によれば、頭皮、頭髪等に帯電している静電気を除去しやすくできる。
【発明を実施するための最良の形態】
【００１９】
以下、本発明をその実施の形態を示す図面に基づいて詳述する。
実施の形態１
図１はマッサージ具の実施の形態１の構成を示す断面図である。
マッサージ具は、内側に収容部を有し、把持することが可能な大きさの円筒形とした支持体１と、該支持体１内に収容された振動発生用のモータ２と、支持体１の一端部に取着され、粒状及び／又は粉末状の負に帯電された負帯電材３が封入された第１のガラス容器４と、支持体１の他端部に取着され、粒状及び／又は粉末状の負に帯電された負帯電材３が封入された第２のガラス容器５とを備えている。
【００２０】
支持体１は導電性を有するアルミニウム製であり、一端部内側に第１の取着面１１ａを有し、他端側に収容部を有する長円筒体１１と、該長円筒体１１の他端部に螺着され、第２の取着面１２ａを有する短円筒体１２とを有する。長円筒体１１の収容部１ａ及び取着面１１ａの間にフランジ１１ｂが突設され、該フランジ１１ｂに穿設された複数個の孔に挿入された小ねじ６によりモータ２が固定されている。また、長円筒体１１の他端側にはモータ２の駆動回路に接続された電源線２０が挿通される挿通孔１１ｃが設けられている。
【００２１】
モータ２の出力軸２ａには偏心部材２１が取着されており、該偏心部材２１が出力軸２ａと一体回転することによりモータ２が振動し、この振動が支持体１及びガラス容器４，５に伝播されるように構成されている。
【００２２】
第１及び第１のガラス容器４，５は底部が外向き凸の湾曲面をなし、天部が尖部をなす擬宝珠形をなしており、第１及び第２のガラス容器４，５のそれぞれの内部に負帯電材３が封入、密閉されている。また、第１のガラス容器４は尖部が先側となるように配置され、外周部が取着面１１ａに両面テープにより取着されており、尖部側が露出している。第２のガラス容器５は湾曲面が先側となるように配置され、外周部が取着面１２ａに両面テープにより取着されており、底部側（湾曲面側）が露出している。
【００２３】
負帯電材３は石灰、白砂、ガラスビーズ、塩、珪素（Ｓｉ）の５種類をほぼ等比率で含有しており、この負帯電材３を負に帯電させている。負帯電材３は以下のようにして負電荷を付与される。
【００２４】
図２は本発明に係るマッサージ具の製造に適用する負電荷付与装置を示す斜視図である。負電荷付与装置は、石英坩堝２１、一対の銅板２２，２２、コード２３及び静電気軽減除去装置２４を備えたものである。静電気軽減除去装置２４は、特開平１１−８７０８６号公報に開示されている。開口面の内径が略４０ｃｍ、高さが略４０ｃｍの石英坩堝２１の開口側外縁部及び底部が、それぞれ銅板２２，２２及びコード２３を介して静電気軽減除去装置２４に接続されている。
【００２５】
静電気軽減除去装置２４を作動させ、石英坩堝２１に負電荷を３時間程度供給し、石英坩堝２１から正の静電気を十分に除去した後、前記５種類の材料を１ｋｇ、開口側から石英坩堝２１に投入し、静電気軽減除去装置２４を作動させた状態で、所定時間（３〜１５分）放置し、前記５種類の材料を負に帯電させる。
【００２６】
以上のように構成されたマッサージ具は例えば次に示すマッサージ剤を用いた後、頭部及び首部のマッサージに用いられる。
【００２７】
マッサージ剤は、液化した流動パラフィン７４〜８０重量％、ごま油１４〜２０重量％、石灰２重量％、白砂２重量％、塩２重量％を含有する。マッサージ剤はイオン発生装置により発生した負イオンのイオン濠の空間で坩堝内に投入して混合させ、さらにイオン濠の空間で電気炉等により焼成して製造される。
【００２８】
頭部及び首部をマッサージする場合、前記マッサージ剤を頭部及び首部に塗布し、頭皮及び首部を指で適宜の時間マッサージする。指によるマッサージ後、界面活性剤を主成分とする洗髪剤によりマッサージ剤を洗い落す。マッサージ剤でマッサージすることにより、頭部及び首部の体液の流れを改善でき、頭痛及び肩こりを改善でき、しかも、頭皮のマッサージを継続することにより美白にできる。
【００２９】
マッサージ剤を洗い落した後、マッサージ具を把持し、モータ２を駆動し、マッサージ具の全体を振動させつつ第２のガラス容器５の露出した湾曲面を頭骨及び首部に押付け、この押付位置を変えて頭骨及び首部を満遍なくマッサージする。マッサージ具は、負帯電材３が封入された第１、第２のガラス容器４，５を両端部に備え、負電荷の量を比較的多くしてあり、さらに、第２のガラス容器５の身体と接触する露出部を外向き凸の湾曲面とし、身体への押付力を大きくすることができるように構成されているため、第２のガラス容器５の湾曲面を頭骨に比較的強く、比較的長い時間押付けることができ、頭皮、頭髪に対する静電気軽減除去の効果を高くすることができ、頭皮、頭髪に帯電している静電気を除去することができ、もやもやした気分を解消し、爽快感を得ることができる。しかも、非回転の第２のガラス容器５を頭部に接触させつつマッサージすることができるため、頭部及び首部との摩擦抵抗を低減でき、頭部及び首部への押付力を大きくすることができ、マッサージ効果を高めることができる。
【００３０】
また、マッサージ具は第１のガラス容器４の身体と接触する露出部を外向き凸の尖部とし、電界を第１のガラス容器４の尖部近傍に集中させることができるように構成されているため、集中した電界で外部へ放出されることになり、この負電荷を身体の患部に加えることができ、体液の流れを改善することができ、筋肉痛等の症状を改善できる。
【００３１】
筋肉痛は、筋肉の緊張が亢進して生じ、筋肉の緊張によって血流量が減少すると、微小血管拡張系が活動してカリウムイオン及び乳酸等の発痛物質の遊離が促進される。また、ｐＨが低下している筋組織では発痛物質を破壊する酵素の活動は抑制されており、阻血によって発痛物質の流出が妨げられ、筋肉内に蓄積されることも疼痛の発現の原因となる。本発明にあっては負に帯電された負帯電材３が封入された第１のガラス容器４をモータ２により振動させつつ尖部を患部に押付け、筋肉の血流を改善することができる。
【００３２】
支持体１の両端部に、負に帯電された負帯電材３が封入された第１及び第２のガラス容器４，５を備えることの効果を調べるために、モータ２を駆動し、第１及び第２のガラス容器４，５部と支持体１部との静電電位を測定した。測定条件は以下の通りである。
測定室内の静電電位：０．０２〜０．０４ＫＶ
室温：２５℃
湿度：５７．５％
測定器：静電電位測定器（春日電気（株）製ＫＳＤ０１０３）
第１のガラス容器４の形状：擬宝珠形
測定方法：モータ２を駆動し、第１及び第２のガラス容器４，５部と支持体１部との静電電位を測定するのを複数回繰り返した。
その結果を表１〜表３に示す。
表１は、第１のガラス容器４を備え、第２のガラス容器５がない構成  表２は、第２のガラス容器５を備え、第１のガラス容器４がない構成  表３は、第１及び第２のガラス容器４，５を備えた構成である。
【００３３】
【表１】
2005349100.tif 000003
【００３４】
【表２】
2005349100.tif 000004
【００３５】
【表３】
2005349100.tif 000005
【００３６】
表１〜表３より、第１及び第２のガラス容器４，５を備えることにより、第１のガラス容器４又は第２のガラス容器５を備えた場合に比べて、第１及び第２のガラス容器４，５部と支持体１部との静電電位を多くでき、この３個所の静電電位を加算して得られるマッサージ具全体の静電電位量を数倍に多くできることが確認された。マッサージ具全体の静電電位量が多いと言うことは、身体に帯電していた正の静電気を除去する効果が大きいことであり、爽快感を高めることができ、さらに、体液の流れを改善することができる。
【００３７】
また、支持体１に収容されたモータ２の近傍には負帯電材３が封入された第２のガラス容器５が配置されているため、モータ２の回転トルクが増加し、モータ２の寿命が長くなることが確認された。
【００３８】
実施の形態２
図３はマッサージ具の実施の形態２の構成を示す断面図である。
このマッサージ具は振動発生用のモータ２を収容した支持体１の一端部に第１のガラス容器４を取着し、支持体１の他端部に、粒状及び／又は粉末状の負に帯電された負帯電材３が封入された第３のガラス容器７と、第３のガラス容器７を被覆し、先側を外向き凸の湾曲面とした被覆体８とを設けたものである。
【００３９】
支持体１は導電性を有するアルミニウム製であり、モータ２を収容した第１の円筒体１３と、第１のガラス容器４を収容し、円筒体１３の一端部に螺着された第２の円筒体１４と、第３のガラス容器７を収容し、円筒体１３の他端部に螺着された円形部材１５とを有しており、該円形部材１５の端部に被覆体８が螺着されている。被覆体８の中央部、換言すれば擬宝珠形をなす第３のガラス容器７の尖部と対向する位置に貫通孔８ａが設けられている。
【００４０】
第１のガラス容器４は円筒部の両端に先側凸の尖部を有しており、円筒部が第２の円筒体１４内に嵌合固定されている。
第３のガラス容器７は尖部が反モータ側となるように配置され、底部が円形部材１５内に両面テープにより取着されている。第３のガラス容器７内の負帯電材３は、第１及び第２のガラス容器５内の負帯電材３と等しい。
【００４１】
実施の形態２のマッサージ具は、全長を５５０mmとし、外径を５０〜７５mmとし、比較的大形に形成して第１及び第３のガラス容器４，７に封入された負帯電材３の量を比較的多くし、第１及び第３のガラス容器４，７部と支持体１部との静電電位を比較的多くできるように構成されている。
【００４２】
このように、マッサージ具全体の静電電位を比較的多くできるため、頭部に比べて皮下脂肪が多い腰部等をマッサージする場合においても、身体に対する静電気軽減除去の効果が高く、腰部等に帯電している静電気を除去することが可能であり、筋肉痛等の症状を改善することができる。
【００４３】
また、支持体１に収容されたモータ２の近傍には負帯電材３が封入された第３のガラス容器７が配置されているため、モータ２の回転トルクが増加し、モータ２の寿命が長くなることが確認された。
その他の構成及び作用は実施の形態１と同じであるため、同様の部品については同じ符号を付し、その詳細な説明及び作用効果の説明を省略する。
【００４４】
尚、以上説明した実施の形態ではガラス容器４，５，７内に石灰、白砂、ガラスビーズ、塩、珪素（Ｓｉ）を含有する負帯電材３を封入しているが、その他、負帯電材３は珪素（Ｓｉ）又はＳｉＯx （０＜ｘ≦２）であってもよい。ＳｉＯx の組成としては、０＜ｘ≦２で良好な効果が得られるが、ｘが２を超えるとほとんど効果はない。
【００４５】
また、以上説明した実施の形態では、第１及び第２のガラス容器４，５の一部を支持体１から外部に露出させ、夫々のガラス容器４，５を身体に直接接触させ得るように構成したが、その他、第１及び／又は第２のガラス容器４，５を支持体１の両端側内部に収容し、夫々のガラス容器４，５を被覆する２つの被覆体を支持体１が有し、この被覆体を身体に接触させ得るように構成してもよい。この場合、一方の被覆体の先側が外向き凸の尖部となり、他方の被覆体の先側が外向き凸の湾曲面になった構成とする。
【図面の簡単な説明】
【００４６】
【図１】本発明に係るマッサージ具の実施の形態１の構成を示す断面図である。
【図２】本発明に係るマッサージ具の製造に適用する負電荷付与装置を示す斜視図である。
【図３】本発明に係るマッサージ具の実施の形態２の構成を示す断面図である。
【符号の説明】
【００４７】
１    支持体
２    モータ
３    負帯電材
４    第１のガラス容器
５    第２のガラス容器
７    第３のガラス容器
８    被覆体
【図１】
2005349100.tif 000006
【図２】
2005349100.tif 000007
【図３】
2005349100.tif 000008